(57)【要約】【課題】デュアル・モード・アクセス端末に対して３Ｇ１ｘ技術とＥＶ−ＤＯ技術との間のデータ・セッション・ハンドオフ時間を短縮する方法論を提供すること。【解決手段】一般に、デュアル・モード・アクセス端末は基地局および特定のパケット・データ・サービス・ノード（ＰＤＳＮ）を介してデータ・ネットワークと通信している。ＥＶ−ＤＯ技術が少なくとも一時的に利用不可能になった場合、ハンドオフ・プロセスが開始され、データ・ネットワークとの通信は３Ｇ１ｘ技術を使用して継続することができる。ハンドオフ中、アクセス端末は国際移動加入者識別子（ＩＭＳＩ）を含有するアクセス・ネットワーク識別（ＡＮＩＤ）を与える。基地局内の無線ネットワーク・コントローラはＩＭＳＩを抽出し、それを使用して、認証、許可、および会計（ＡＡＡ）サーバにアクセスする必要をなくすＥＶ−ＤＯ技術とともに使用される同じＰＤＳＮを選択し、再認証プロセスを実行する。【選択図】図２
2006005943.tif 000002
【特許請求の範囲】
【請求項１】
第１の技術と第２の技術との間のハンドオフを制御する方法であって、
国際移動加入者識別子を含有する信号を受信するステップと、
無線ネットワーク・コントローラにおいて前記信号から前記国際移動加入者識別子を解剖するステップと、
前記解剖された国際移動加入者識別子に基づいてパケット・データ処理ノードを選択するステップと
を含む方法。
【請求項２】
前記国際移動加入者識別子を含有する前記信号を受信するステップが、アクセス・ネットワーク識別を受信するステップをさらに含む請求項１に記載の方法。
【請求項３】
前記アクセス・ネットワーク識別を受信するステップが、前記国際移動加入者識別子がその中に埋め込まれたアクセス・ネットワーク識別を受信するステップをさらに含む請求項２に記載の方法。
【請求項４】
前記信号から前記国際移動加入者識別子を解剖するステップが、前記アクセス・ネットワーク識別から前記国際移動加入者識別子を抽出するステップをさらに含む請求項３に記載の方法。
【請求項５】
国際移動加入者識別子を含有する信号を受信するように適合された無線ネットワーク・コントローラと、
前記無線ネットワーク・コントローラから前記国際移動加入者識別子を受信するように適合されたパケット・データ処理ノードと
を含む通信システム。
【請求項６】
前記無線ネットワーク・コントローラが、アクセス・ネットワーク識別において国際移動加入者識別子を含有する信号を受信するように適合された請求項１１に記載の通信システム。
【請求項７】
前記無線ネットワーク・コントローラが、前記国際移動加入者識別子がその中に埋め込まれたアクセス・ネットワーク識別を受信するように適合された請求項１１に記載の通信システム。
【請求項８】
前記無線ネットワーク・コントローラが、前記アクセス・ネットワーク識別から前記国際移動加入者識別子を解剖するように適合された請求項１３に記載の通信システム。
【発明の詳細な説明】
【技術分野】
【０００１】
本発明は一般に遠隔通信システムに関し、より詳細には、無線通信に関する。
【背景技術】
【０００２】
情報技術およびインターネットの分野内での現象的成長は高性能無線インターネット技術の必要を生み出した。パーソナル・デジタル・アシスタントやスマート・フォンなどの通信デバイスはユーザが移動している間に無線で通信することを可能にする。高速、大容量無線インターネット接続性を与える１つの技術はＰｈａｓｅ  １  Ｅｖｏｌｕｔｉｏｎ  Ｄａｔａ  Ｏｎｌｙ（１ｘＥＶ−ＤＯ）である。
【０００３】
いくつかの地域社会では、１ｘＥＶ−ＤＯは時間とともに漸次導入されており、いくつかの地域は現在他が行わない間に新しい技術をサポートしている。すなわち、いくつかの地域がより古い技術しかサポートしない間、多数の地域が３Ｇ１ｘなどのより古い技術ならびにより新しい１ｘＥＶ−ＤＯ技術をサポートすることが一般的である。したがって、１ｘＥＶ−ＤＯ技術を利用することができる通信デバイスは一般により古い技術を使用して通信するようにも構成される。したがって、１ｘＥＶ−ＤＯ技術がある地域で利用可能である場合、通信デバイスはその存在を利用し、新しい高速技術を使用して通信する。しかしながら、より古い技術のみが利用可能である場合、通信デバイスはより古い、比較的遅い技術を使用せざるをえない。
【０００４】
通信デバイスのユーザは１ｘＥＶ−ＤＯ技術の利用可能度が実質的に変化する地域中を動くことができる。したがって、通信デバイスはしばしばより古い技術とより新しい技術との間で切り替わることができる。そのような切り替え（一般にハンドオフと呼ばれる）が起こるたびに、著しい時間期間（一般に待ち時間と呼ばれる）がハンドオフ・プロセスによって消費される。この認証中、データ信号は交換されず、したがって、システムの性能が悪化する。
【発明の開示】
【発明が解決しようとする課題】
【０００５】
本発明は上記の問題の１つまたは複数の影響を克服、または少なくとも低減することを対象とする。
【課題を解決するための手段】
【０００６】
本発明の第１の態様では、第１の技術と第２の技術との間のハンドオフを制御する方法が提供される。本方法は、国際移動加入者識別子を含有する信号を受信するステップと、国際移動加入者識別子に基づいてパケット・データ処理ノードを選択するステップとを含む。
【０００７】
本発明の別の態様では、第１の技術と第２の技術との間のハンドオフを制御する方法が提供される。本方法は、第１の技術を使用して通信中にパケット・データ処理ノードを選択するステップと、第２の技術へのハンドオフ中に同じパケット・データ処理ノードを選択するステップとを含む。
【０００８】
本発明は、同じ参照番号で同じ要素を識別する添付の図面とともに行う以下の説明を参照することによって理解することができる。
本発明は様々な変更および代替形態が可能であるが、その特定の実施形態を図面に例として示してあり、本明細書で詳細に説明する。しかしながら、特定の実施形態についての説明は本発明を開示された特定の形態に限定するものではなく、逆に、本発明は添付の特許請求の範囲によって規定される本発明の趣旨および範囲内に入るすべての変更、均等、および代替を包含すべきであることを理解するべきである。
【発明を実施するための最良の形態】
【０００９】
本発明の例示的な実施形態について以下で説明する。わかりやすいように、実際の実装形態のすべての特徴について本明細書で説明するとは限らない。もちろん、そのような実際の実施形態の開発では、ある実装形態から別の実装形態に変化することになる、システム関連およびビジネス関連の制約との応諾など、開発者の特定の目的を達成するために、多数の実装形態固有の決定を行わなければならないことが諒解されよう。さらに、そのような開発努力は複雑であり、時間がかかることがあるが、とはいえ、この開示の利点を有する当業者にとって経常的業務であろうことが諒解されよう。
【００１０】
本明細書に開示した方法論はＥＶ−ＤＯ  ＲＡＮ認証の文脈で提示されるが、当業者は本発明の原理は本発明の趣旨および範囲から逸脱することなしに様々な通信技術のいずれかに適用することができることを諒解しよう。一般に、Ａ１２インターフェースをサポートする必要をなくしながら３Ｇ１ｘとＥＶ−ＤＯとの間のデータ・セッション・ハンドオフ時間を短縮する方法論について本明細書で説明する。すなわち、本発明はＡ１２インターフェースを効果的にバイパスするように動作する。
【００１１】
次に図面に移り、特に図１を参照すると、本発明の一実施形態による通信システム１００が様式的に図示されている。一般に、システム１００は、アクセス・ネットワーク１２２を介してインターフェースなどのデータ・ネットワーク１２５と通信することが可能な１つまたは複数のアクセス端末１２０から構成される。アクセス・ネットワークは、無線ネットワーク・コントローラ１３１を含む１つまたは複数の基地局（ＢＴＳ）１３０を含む複数の構成要素から構成される。図示の実施形態では、ＢＴＳ１３０は、様々なアクセス端末１２０によって利用される技術に応じて、３Ｇ１ｘシステム１５０か１ｘＥＶ−ＤＯシステム１５５のいずれかに信号を制御可能に配信する１対のルータ１４０、１４２に結合される。たとえば、アクセス端末１２０が３Ｇ１ｘ技術を利用するより古いモデルである場合、アクセス端末１２０から受信された信号は３Ｇ１ｘシステム１５０を介して回送される。他方、アクセス端末１２０が１ｘＥＶ−ＤＯ技術を利用する場合、アクセス端末１２０から受信された信号は１ｘＥＶ−ＤＯシステム１５５を介して回送される。３Ｇ１ｘシステム１５０と１ｘＥＶ−ＤＯシステム１５５の両方はデータ・ネットワーク１２５に結合され、それによってアクセス端末１２０の各々に関連する技術を使用してアクセス端末１２０とデータ・ネットワーク１２５との間で情報を渡すことができる。
【００１２】
次に図２を見ると、図１の通信システム１００の例示的な実施形態のより詳細なブロック図表現が示されている。本発明は本明細書では１ｘＥＶ−ＤＯと３Ｇ１ｘシステムとの間のハンドオフの文脈で提示されるが、本発明は本発明の趣旨および範囲から逸脱することなしにデータおよび／または音声通信をサポートする他のシステムに適用可能であることがあることを当業者は理解しよう。システム１００は１ｘＥＶ−ＤＯ移動度サーバ２１０および中央局２１５に所在する３Ｇ１ｘ移動度サーバ２１２を含み、アクセス端末１２０のうちの１つまたは複数が１つまたは複数の基地局（ＢＴＳ）１３０を介してインターネットなどのデータ・ネットワーク１２５と通信することを可能にする。アクセス端末１２０は、セルラー・フォン、パーソナル・デジタル・アシスタント（ＰＤＡ）、ラップトップ、デジタル・ページャ、無線カード、およびＢＴＳ１３０を介してデータ・ネットワーク１２５にアクセスすることが可能な任意の他のデバイスを含む、様々なデバイスのうちの１つを含むことができる。
一実施形態では、各ＢＴＳ１３０はＴ１／ＥＩライン、イーサネット（登録商標）などの１つまたは複数の接続２４５によってルータ１４０、１４２に結合することができる。
【００１３】
図２の移動度サーバ２１０、２１２は一般に接続確立、移動度管理、輸送およびシステム管理サービスを行う。１ｘＥＶ−ＤＯ移動度サーバ２１０は、図示の実施形態では、１ｘＥＶ−ＤＯコントローラ２５５およびパケット制御機能（ＰＣＦ）モジュール２５７を含む。１ｘＥＶ−ＤＯコントローラ２５５は図１の通信システムにおいて１ｘＥＶ−ＤＯサービスをサポートする。ＰＣＦモジュール２５７は、一実施形態では、パケット・データ・サービス・ノード（ＰＤＳＮ）２６０（以下で説明する）から受信したデータをバッファするとともに、休止状態中にデータを維持する。ＰＣＦモジュール２５７はオープンＲ−Ｐ（Ａ１０−Ａ１１）インターフェースを介して通信をサポートすることができ、Ａ１０インターフェースはパケット・トラフィックのために利用し、Ａ１１インターフェースは信号通信のために利用することができる。オープンＲ−Ｐインターフェースは当業者によく知られているので、本明細書ではそれについて詳細には説明しない。同様に、３Ｇ１ｘ移動度サーバ２１２は、図示の実施形態では、３Ｇ１ｘコントローラ２５６およびパケット制御機能（ＰＣＦ）モジュール２５８を含む。３Ｇ１ｘコントローラ２５６は図１の通信システム１００において３Ｇ１ｘサービスをサポートする。ＰＣＦモジュール２５８は、一実施形態では、ＰＤＳＮ２６０（以下で説明する）から受信したデータをバッファするとともに、休止状態中にデータを維持する。
【００１４】
図示の実施形態では、ＰＤＳＮ２６０はルータ１４０、１４２とデータ・ネットワーク１２５との間に結合される。ＰＤＳＮ２６０はまた認証、許可、および会計（ＡＡＡ）サーバ２６５に結合される。ＰＤＳＮ２６０は一般にＡＡＡサーバ２６５によって与えられるセキュリティ情報を介してアクセス端末１２０への安全な通信を確立する。一実施形態では、ＰＤＳＮ２６０はデータ使用率を記録し、オープンＲ−Ｐ（Ａ１０−Ａ１１）インターフェース上でＰＣＦモジュール２５７からの会計情報を受信し、データを関連付けて会計情報を生成し、関連付けられた情報をＡＡＡサーバ２６５に中継する。ＰＤＳＮ２６０はまたサービング・リストおよびアクセス端末１２０の一意のリンク・レイヤ識別子を維持する。
【００１５】
データ・ネットワーク１２５はインターネット・プロトコル（ＩＰ）に従うデータ・ネットワークなどのパケット切替えデータ・ネットワークとすることができる。ＩＰの１つのバージョンは１９８１年９月付けで「Ｉｎｔｅｒｎｅｔ  Ｐｒｏｔｏｃｏｌ」という名称でＲｅｑｕｅｓｔ  ｆｏｒ  Ｃｏｍｍｅｎｔｓ（ＲＦＣ）７９１に記載されている。ＩＰｖ６や他の接続、パケット切替え標準などのＩＰの他のバージョンもさらなる実施形態で利用することができる。ＩＰｖ６のバージョンは１９９８年１２月付けで「Ｉｎｔｅｒｎｅｔ  Ｐｒｏｔｏｃｏｌ、Ｖｅｒｓｉｏｎ６（ＩＰｖ６）」という名称でＲＦＣ２４６０に記載されている。データ・ネットワーク１２５はまたさらなる実施形態で他のタイプのパケットベース・データ・ネットワークを含むことができる。そのような他のパケットベース・データ・ネットワークの例は非同期転送モード（ＡＴＭ）、フレーム・リレー・ネットワークなどを含む。
【００１６】
本明細書で利用する場合、「データ・ネットワーク」は１つまたは複数の通信ネットワーク、チャネル、リンクまたはパス、およびそのようなネットワーク、チャネル、リンクまたはパス上でデータを回送するために使用されるシステムまたはデバイス（ルータなど）をさすことができる。
【００１７】
図１の通信システム１００の構成は本来例示的なものであり、本発明の趣旨および範囲から逸脱することなしに他の実施形態でより少ないまたは追加の構成要素を利用することができることを理解するべきである。たとえば、一実施形態では、システム１００は１ｘＥＶ−ＤＯに対して動作、管理、維持、および準備機能を与えるネットワーク管理システム（図示せず）を含むことができる。さらに、システム１００はプロトコル変換を実行するためにＢＴＳ１３０とルータ１４０との間に接続された１つまたは複数のマルチプレクサ（図示せず）を含むことができる。同様に、本発明の趣旨および範囲から逸脱することなしに他の構成要素を追加または図１の通信システム１００から除去することができる。
【００１８】
別段に特記されていない場合、または議論から明らかな場合、「処理」または「コンピューティング」または「計算」または「決定」または「表示」などの用語は、コンピュータ・システムのレジスタおよびメモリ内の物理的電子的量として表されるデータを操作し、同様にコンピュータ・システムのメモリまたはレジスタまたは他のそのような情報記憶装置、送信またはディスプレイ・デバイス内の物理的量として表されるデータ他のデータに変換する、コンピュータ・システムまたは同様の電子コンピューティング・デバイスの作用およびプロセスをさす。
【００１９】
当業者は、アクセス端末１２０が地理的領域を移動する場合、アクセス端末１２０は、図１および図２に図示されているものなど、３Ｇ１ｘ技術と１ｘＥＶ−ＤＯ技術の両方をサポートするいくつかのセルを通過することができることを諒解しよう。しかしながら、１ｘＥＶ−ＤＯ技術が展開されてないまたはさもなければ利用不可能である他の隣接する地理的領域が存在することがある。アクセス端末１２０がこれら２つのタイプ領域間で移行する場合、アクセス端末１２０が１つの技術から別の他の技術に切り替わることが望ましいことがある。たとえば、アクセス端末が、１ｘＥＶ−ＤＯ技術をサポートする領域からそうでない領域に移動する場合、アクセス端末が１ｘＥＶ−ＤＯ技術から３Ｇ１ｘ技術に切り替わることが有用なことがある。この切替えが起こる時間期間は一般にハンドオフと呼ばれ、ハンドオフのために情報の送信において経験される遅延はしばしばハンドオフ待ち時間と呼ばれる。技術間のハンドオフはまた両方の技術をサポートするセル内で起こることがあるが、１ｘＥＶ−ＤＯ技術は、たとえば不十分な信号品質のために、少なくとも一時的に利用不可能になる。
【００２０】
従来のシステムにおける３Ｇ１ｘと１ｘＥＶ−ＤＯとの間の切替えに関連するハンドオフ待ち時間はポイントツーポイント・プロトコル（ＰＰＰ）再同期およびＰＤＳＮ間のハンドオフに大きく起因することがある。本発明は両方の技術においてＰＤＳＮの同じセットと同じ国際移動加入者識別子（ＩＭＳＩ）を使用してこれらの遅延を回避する。従来のＥＶ−ＤＯシステムでは、本当のまたは真のＩＭＳＩはアクセス端末１２０から得られない。むしろ、アクセス端末は一般にアクセス・ネットワーク識別（ＡＮＩＤ）を与え、ＡＡＡサーバ２６５はＡＮＩＤを本当のまたは真のＩＭＳＩに関連付けるテーブルを維持する。したがって、従来のシステムでは、ＰＤＳＮ２６０はＩＭＳＩを得るためにＡＡＡサーバ２６５にアクセスしなければならない。ＡＡＡサーバ２６５にアクセスするのに要する時間は著しい待ち時間を追加する。
【００２１】
ＰＤＳＮ２６０は本当のまたは真のＩＭＳＩを使用して既存のＰＰＰセッションがあるかどうか、したがってＰＰＰ再同期が必要とされるかどうかを判定する。したがって、３Ｇ１ｘと１ｘＥＶ−ＤＯとの間のハンドオフ中、ＰＰＰ再同期が必然的に実行されている。以下でより詳細に議論するように、本発明の一実施形態では、本当のまたは真のＩＭＳＩはＰＰＰ再同期を回避することができるように無線アクセス・ネットワーク（ＲＡＮ）認証プロセス中にＲＮＣ１３１から得られる。本発明の例示的な実施形態では、アクセス端末１２０は形態ＩＭＳＩ＠ｒｅａｌｍ（たとえば、９７３３８６６５３０＠ｌｕｃｅｎｔ．ｃｏｍ）をとるネットワーク・アクセス識別子（ＮＡＩ）を生成するように構成される。したがって、ＲＮＡ認証中、ＢＴＳ１３０内のＲＮＣ１３１はアクセス端末１２０からＮＡＩを受信し、＠記号に先立つ先頭の文字を抽出または解剖し、これらの文字を本当のまたは真のＩＭＳＩとして使用する。当業者はＲＡＮ認証の目的が、本発明の文脈では、アクセス端末１２０を認証することではなく、むしろ、本当のまたは真のＩＭＳＩを得ることであることを諒解しよう。ひとたび本当のまたは真のＩＭＳＩが得られると、ＥＶ−ＤＯ  ＲＮＣは３Ｇ１ｘＲＮＣによって使用される同じＰＤＳＮを選択し、それによってＰＤＳＮ内ハンドオフおよび関連する遅延を回避することができる。
【００２２】
次に図３を参照すると、Ａ１２インターフェースを効果的にバイパスする技術を使用して確立される初期ＥＶ−ＤＯセッションを記述する呼フローが示されている。プロセスは３００で開始し、アクセス端末１２０およびアクセス・ネットワーク１２２がＥＶ−ＤＯセッションを開始し、ＥＶ−ＤＯ  Ｒｅｖ０標準に従って接続を確立する。この手順中、アクセス・ネットワーク１２２はユニキャスト・アクセス端末識別（ＵＡＴＩ）ではなくランダム・アクセス端末識別（ＲＡＴＩ）を受信する。アクセス端末１２０とアクセス・ネットワーク１２２の間にセッションが存在しないので、セッションが確立され、アクセス端末１２０とアクセス・ネットワーク１２２の間の通信のためにプロトコルおよびプロトコル構成がネゴシエートされ、記憶され、使用される。
【００２３】
３０５で、アクセス端末１２０はデータをアクセス・ネットワーク１２２と交換する準備ができていることを指示する。アクセス端末１２０およびアクセス・ネットワーク１２２は３１０でアクセス認証のためにポイントツーポイント・プロトコル（ＰＰＰ）およびリンク制御プロトコル（ＬＣＰ）ネゴシエーションを開始する。
【００２４】
アクセス・ネットワーク１２２は３１５で、ランダム課題を生成し、それを課題ハンドシェイク認証プロトコル（ＣＨＡＰ）課題メッセージでアクセス端末１２０に送る。アクセス端末１２０はＣＨＡＰ応答を与える。アクセス・ネットワーク１２２はＣＨＡＰ応答からＮＡＩのユーザ部分を抽出し、これを移動ノード識別（ＭＮＩＤ）として扱う。アクセス・ネットワーク１２２はＡ１２インターフェースが使用不能にされているのでＣＨＡＰ課題を認証しないが、むしろ３２０でＣＨＡＰアクセス認証成功の指示をアクセス端末１２０に戻す。
【００２５】
３２５で、アクセス・ネットワーク１２２はアクセス・ネットワーク識別（ＡＮＩＤ）とともにアクセス端末１２０にロケーション割当てを送ることによって従来のロケーション更新手順を実施し、次いでアクセス端末１２０からロケーション完了確認を受信する。
【００２６】
３３０で、アクセス端末１２０はサービス・ストリーム上でデータを交換する準備ができていることを指示する（たとえば、パケット・データ・ネットワークに結合されたデフォルト・パケット・アプリケーションのフロー制御プロトコルはオープン状態にある）。パケット制御機能（ＰＣＦ）は、利用可能であるアクセス端末１２０に関連するＡ１０接続がないことを認識し、ＭＮＩＤの最後の４つの数字を構成されたＰＤＳＮの数で割ることによってＰＤＳＮ２６０を選択する。残りはＰＤＳＮ２６０のリストから選択するためのインデックスとして使用される。３３５で、ＰＣＦはＡ１１登録要求メッセージをＰＤＳＮ２６０に送り、それの現在アクセス・ノード識別（ＣＡＮＩＤ）を含む。Ａ１１登録要求メッセージは確認され、ＰＤＳＮ２６０は、３４０で、構成されたＴｒｐ値に設定された受諾指示および寿命とともにＡ１１登録返答メッセージを戻すことによって接続を容認する。ＰＤＳＮ２６０でのＡ１０接続結合情報はＰＣＦおよびＰＣＦによって送られたＣＡＮＩＤをポイントするために更新され、ＩＭＳＩとともに記憶される。ＰＣＦはタイマＴｒｅｇｒｅｑを停止する。
【００２７】
この時点で、Ｒ−Ｐ接続は確立され、ＰＰＰネゴシエーションが完了した後にパケット・データがアクセス端末１２０とＰＤＳＮ２６０との間に流れることができる。アクセス端末１２０は３Ｇ１ｘアイドル状態手順を実行するために定期的に離れて同調する。
【００２８】
上述のプロセスは３Ｇ１ｘ技術からＥＶ−ＤＯ技術へのハンドオフ中に従うことができる例示的な手順を示す。これと対比して、以下のプロセスはＥＶ−ＤＯ技術から３Ｇ１ｘ技術へのハンドオフ中に従うことができる例示的な手順を示す。
【００２９】
このシナリオはアクセス端末１２０が発信メッセージでＰＡＮＩＤを送信するためにＩＳＡ−５６Ｒｅｖ  Ａ手順をサポートすると仮定する。このシナリオはＡ１１登録要求でＰＡＮＩＤ／ＣＡＮＩＤをサポートするために３Ｇ１ｘＲＮＣ／ＰＣＦを必要とする。アクセス端末１２０がアクティブなＥＶ−ＤＯ接続を有するシナリオの場合、アクセス端末１２０はＥＶ−ＤＯ信号強度がもはや十分でないことを判定することができ、３Ｇ１ｘ技術に戻って同調することになる。代わりにアクセス端末１２０がＥＶ−ＤＯ上でアイドル状態にある場合、アクセス端末１２０がＥＶ−ＤＯカバレージの終了に達すると、３Ｇ１ｘ技術への休止状態ハンドオフが起こることがある。アクセス端末１２０は、３Ｇ１ｘにデータ・セッションを移動するために前にＥＶ−ＤＯから得られたＰＡＮＩＤとともに発信メッセージを送る。
【００３０】
３Ｇ１ｘＲＮＣ／ＰＣＦはＥＶ−ＤＯ  ＲＮＣと同じＰＤＳＮ２６０の同じリストを有し、ＩＭＳＩハッシュイング・アルゴリズムが同等であるので同じＰＤＳＮ２６０を選択する。３Ｇ１ｘＲＮＣ／ＰＣＦはＡ１１登録要求でＰＤＳＮ２６０にＩＭＳＩ、移動度イベント・インジケータ（ＭＥＩ）、受信されたＰＡＮＩＤおよびＰＣＦのＣＡＮＩＤを中継する。ＰＤＳＮ２６０は、このＩＭＳＩに対してＰＰＰセッションがすでに存在するのでＰＰＰ再同期が不要であり、受信されたＰＡＮＩＤがこのセッションに対してＰＤＳＮ２６０中に記憶されたＡＮＩＤに一致することを判定する。ＰＤＳＮ２６０はＡ１１登録返答を送り、それの受信されたＡＮＩＤフィールド中に受信されたＣＡＮＩＤを記憶する。次いでアクセス端末１２０はデータを送信し始めることができる。ＰＤＳＮ２６０はまた３Ｇ１ｘＲＮＣ／ＰＣＦにＡ１１登録更新を送り、その結果Ｒ−Ｐが除去される。ＥＶ−ＤＯセッション情報はまだＲＮＣ中に保持される。
【００３１】
次にＥＶ−ＤＯ技術に戻るハンドオフが起こる状況を見ると、３Ｇ１ｘデータ接続がアクティブである間、アクセス端末１２０はＥＶ−ＤＯをモニタしない。アクセス端末１２０は３Ｇ１ｘ上でデータ送信を完了し、タイマ経過後、休止状態に戻る。アクセス端末１２０はＥＶ−ＤＯに対して定期的に走査し、容認できるパイロットを獲得する。サービス側ＥＶ−ＤＯ  ＲＮＣが従来のＥＶ−ＤＯ接続で使用されるＲＮＣと同じである場合、アクセス端末１２０は３Ｇ１ｘから得られたＰＡＮＩＤとともに未懇請のロケーション通知を送る。ＥＶ−ＤＯセッションが満了しておらず、セッション情報（ＩＭＳＩを含む）がＲＮＣ／ＰＣＦ中に記憶されているのでＲＡＮ認証は不要である。
【００３２】
ＥＶ−ＤＯ  ＲＮＣ／ＰＣＦはＩＭＳＩ、ＭＥＩ、受信されたＰＡＮＩＤおよびＰＣＦのＣＡＮＩＤをＡ１１登録要求でＰＤＳＮ２６０に中継する。ＰＤＳＮ２６０は、このＩＭＳＩに対してＰＰＰセッションがすでに存在するのでＰＰＰ再同期が不要であり、受信されたＰＡＮＩＤがＰＤＳＮ２６０中に記憶されたＡＮＩＤに一致することを判定する。ＰＤＳＮ２６０はＡ１１登録返答を送り、それのＡＮＩＤフィールド中に受信されたＣＡＮＩＤを記憶する。ＤＳＮ２６０はＲ−Ｐ接続をクリアするために３Ｇ１ｘＰＣＦにＡ１１登録更新を送る。
【００３３】
アクセス端末１２０は１ｘＥＶ−ＤＯシステム１５０と３Ｇ１ｘシステム１５５の両方でアイドル状態手順を実行し、送るべきデータがない場合、ＥＶ−ＤＯ接続を確立することができる。
【００３４】
アクセス端末１２０が３Ｇ１ｘから以前のＥＶ−ＤＯ  ＲＮＣとは異なるＥＶ−ＤＯ  ＲＮＣに戻る場合、新しいＵＡＴＩを割り当て、ＥＶ−ＤＯ  ＲＮＣ間でセッション情報を転送するための増分的ステップがあることに留意すべきである。セッション情報は（ＩＭＳＩとともに）以前のＥＶ−ＤＯ  ＲＮＣから取り出されるので、この場合もＲＡＮ認証は実施されない。Ａ１１手順は上記と同じである。詳細な呼フローについてはＩＳ―８７８―１セッション３．６．１を参照されたい。
【００３５】
当業者は本明細書の様々な実施形態に図示された様々なシステム・レイヤ、ルーチン、またはモジュールは実行可能な制御ユニットとすることができることを諒承しよう。制御ユニットはマイクロプロセッサ、マイクロコントローラ、デジタル信号プロセッサ、プロセッサ・カード（１つまたは複数のマイクロプロセッサまたはコントローラを含む）、または他の制御またはコンピューティング・デバイスを含むことができる。
【００３６】
この議論で言及する記憶デバイスはデータおよび命令を記憶するための１つまたは複数の機械可読記憶媒体を含むことができる。記憶媒体は異なる形態のメモリ（ＤＲＡＭまたはＳＲＡＭ）、消去可能およびプログラム可能読取り専用メモリ（ＥＰＲＯＭ）、電気的消去可能およびプログラム可能読取り専用メモリ（ＥＥＰＲＯＭ）およびフラッシュ・メモリ、固定、フロッピー（登録商標）、取外し可能ディスクなどの磁気ディスク、テープを含む他の磁気媒体、ならびにコンパクト・ディスク（ＣＤ）やデジタル・ビデオ・ディスク（ＤＶＤ）などの他の光学媒体を含むことができる。様々なシステムにおける様々なソフトウェア・レイヤ、ルーチン、またはモジュールを構成する命令はそれぞれの記憶デバイスに記憶することができる。命令がそれぞれの制御ユニット２２０によって実行されると対応するシステムがプログラムされた行為を実行することになる。
【００３７】
本発明は本明細書の教示の特典を有する当業者に明らかな、異なるが等価な様態で変更および実施することができるので、上記で開示された特定の実施形態は、例示的なものにすぎない。さらに、添付の特許請求の範囲に記載される以外、本明細書に示された構成または設計の詳細は制限されないものとする。したがって、上記で開示された特定の実施形態は改変または変更することができ、すべてのそのような変化は本発明の範囲および趣旨内で検討されることは明白である。したがって、本明細書で求められる保護は添付の特許請求の範囲に記載されるとおりである。
【図面の簡単な説明】
【００３８】
【図１】１ｘＥＶ−ＤＯ技術と３Ｇ１ｘ技術の両方を使用した通信システムを様式的に示す図である。
【図２】本発明の一実施形態による図１の通信システムのより詳細なブロック図である。
【図３】１ｘＥＶ−ＤＯベース・システムと３Ｇ１ｘベース・システムとの間のハンドオフを制御するプロセスの流れ図を様式的に示す図である。
【図１】
2006005943.tif 000003
【図２】
2006005943.tif 000004
【図３】
2006005943.tif 000005